(57)【要約】【課題】簡素な構成でありながら転倒し難い安定性の高いブックエンドを提供すること。【解決手段】ブックエンド１は、略矩形状の直立板部２と、直立板部２から水平方向に延びている第１脚部４〜第４脚部７とを備えている。第１脚部４〜第４脚部７は、平面視において直立板部２を挟んで千鳥配列している。また、第３脚部６は、直立板部２の下縁部から延びる脚であって、平面視形状が略Ｌ字形状の板状の脚である。そして、第３脚部６の先端部６２は奥方向に延びている。これにより、ブックエンド１は、直立板部２が鉛直面上に位置する状態を保って自立することができ、平面視において直立板部２の板面と直交する方向のみならず板面に沿う方向、特に奥方向においても安定性が向上する。よって、ブックエンド１が転倒するのを確実に防ぐことができる。【選択図】図１
2006296849.tif 000002
【特許請求の範囲】
【請求項１】
鉛直面上に拡がる直立板部と、当該直立板部の下縁部から水平方向に延びる複数の脚部と、が一枚板から形成されたブックエンドであって、
上記複数の脚部のうち使用時に奥側に位置する少なくとも１つは、平面視においてその先端部分が、上記直立板部と直交する方向に対して交差する方向であって奥方向にも延びて形成されていることを特徴とするブックエンド。
【請求項２】
上記ブックエンドは、略矩形状の平板の一部を切り起こすことにより上記直立板部および上記脚部を一体的に形成するものであり、
上記複数の脚部は、上記直立板部の板面と直交する方向に延び出ており、かつ、平面視において上記直立板部を挟んで千鳥配列しており、
最奥の脚部に対して反対側に切り起こされた次の脚部は、平面視において略Ｌ字状に形成されていることを特徴とする請求項１に記載のブックエンド。
【請求項３】
上記最奥の脚部の奥側の辺と上記略Ｌ字状に形成された脚部の奥側の辺とは、同一直線上に位置していることを特徴とする請求項２に記載のブックエンド。
【請求項４】
上記直立板部の手前の鉛直辺に舌片を設けたとことを特徴とする請求項１〜３のいずれかに記載のブックエンド。
【発明の詳細な説明】
【技術分野】
【０００１】
本発明は、ブックエンドに関し、特に、簡素な構成でありながら安定性および視認性の高いブックエンドに関する。
【背景技術】
【０００２】
従来、机上や本棚に書籍を載置するに際してブックエンドが利用されている。ブックエンドは、一般的に、鉛直面上に拡がる直立板部とこの直立板部から水平方向に延びる脚部とを備えており、脚部を棚面などの設置面に置くことで、直立板部が鉛直面上に位置した状態を保って自立している。そして、ブックエンドの直立板部に書籍を立て掛けることで、書籍を立たせた状態で保持することができる（たとえば、特許文献１参照）。
【０００３】
【特許文献１】実開６３−１１０２４１号公報
【発明の開示】
【発明が解決しようとする課題】
【０００４】
しかしながら、従来の技術では以下の問題点があった。
すなわち、上記特許文献１に記載のブックエンドを含め、従来のブックエンドでは、転倒のおそれがあるといった問題点や、使用した際に書籍に隠れてしまうため設置場所を認識しにくいといった問題点があり、使い勝手の悪いものとなっていた。
【０００５】
図７は、従来のブックエンドの一例を示す斜視図である。
以下、図７を用いて従来のブックエンドの問題点を詳しく説明する。
ブックエンド３１は、鉛直面上に拡がる直立板部３２、ならびに、直立板部３２の下端から水平方向に延びる第１脚部３３および第２脚部３４を備えている。
【０００６】
ブックエンド３１は、略長方形状の平板の中央に略Ｕ字状の切れ込み３５を入れ、切れ込み３５の外方部を略直角に折り曲げることでその折り曲げた部分が直立板部３２として形成され、また、切れ込み３５の内方部であった部分が第１脚部３３として形成され、直立板部３２を挟んで第１脚部３３と反対側に位置する平板の部分が第２脚部３４として形成される。
これにより、ブックエンド３１は、第１脚部３３および第２脚部３４を設置面に置くことで、直立板部３２が鉛直面上に位置する状態を保って自立することができる。
【０００７】
しかしながら、ブックエンド３１は、第１脚部３３および第２脚部３４が共に直立板部３２の板面に対して直交する方向にのみ延びているため、自立状態において、直立板部３２の板面と直交する方向においては安定するものの、直立板部３２の板面に沿う方向においては脚部が延びていないため不安定となってしまい、転倒するおそれがある。たとえば、ブックエンド３１に書籍を立て掛けた場合等に、書籍の寄りかかり具合や重さによっては、矢印Ａで示す方向に転倒するおそれがある。
【０００８】
また、たとえば、本棚内においてブックエンド３１を用いた場合等であって、直立板部３２が書籍と同等またはそれよりも小さいサイズである場合には、ブックエンド３１が書籍によって隠れてしまう。そのためブックエンド３１の配置場所が分かりづらく、ブックエンド３１を取り出す場合等に不便である。また、ブックエンド３１の配置場所が分かりづらいため、書籍を誤ってブックエンド３１の存在する場所に差し込むおそれがあり、その場合には、書籍を傷めてしまう。また、たとえば、書籍の整理等の観点からもブックエンド３１の配置場所が認識できることが好ましい。
【０００９】
本発明は上記に鑑みてなされたものであって、簡素な構成でありながら転倒し難い安定性の高いブックエンドを提供することを目的とする。
また、本発明は、書籍を立て掛けた場合においてその配置場所を認識することが容易な視認性の高いブックエンドを提供することを他の目的とする。
【課題を解決するための手段】
【００１０】
上記の目的を達成するために、請求項１に記載のブックエンドは、鉛直面上に拡がる直立板部と、当該直立板部の下縁部から水平方向に延びる複数の脚部と、が一枚板から形成されたブックエンドであって、上記複数の脚部のうち使用時に奥側に位置する少なくとも１つは、平面視においてその先端部分が、上記直立板部と直交する方向に対して交差する方向であって奥方向にも延びて形成されていることを特徴とする。
【００１１】
すなわち、請求項１にかかる発明は、奥側に位置する少なくとも１つの脚部は、直立板部と直交する方向に対して交差する方向であって奥方向にも延びているので、脚部が一直線上に延びている場合に比べてブックエンドの安定性が向上する。よって、ブックエンドが転倒するのを防ぐことができる。特に、ブックエンドが奥側に転倒するのを防ぐことができる。よって、簡素な構成でありながら安定性の高いブックエンドを提供できる。
【００１２】
請求項２に記載のブックエンドは、請求項１に記載のブックエンドにおいて、略矩形状の平板の一部を切り起こすことにより上記直立板部および上記脚部を一体的に形成するものであり、上記複数の脚部は、上記直立板部の板面と直交する方向に延び出ており、かつ、平面視において上記直立板部を挟んで千鳥配列しており、最奥の脚部に対して反対側に切り起こされた次の脚部は、平面視において略Ｌ字状に形成されていることを特徴とする。
【００１３】
すなわち、請求項２にかかる発明は、複数の脚部が千鳥配列しており、また、奥側の二番目の脚部が奥に向けてＬ字状に形成されているため、ブックエンドの安定性がより向上する。よって、ブックエンドが転倒するのをより確実に防ぐことができる。
また、平板を切り起こすことにより簡便に形成できるので、ブックエンドを容易に形成することができる。
【００１４】
請求項３に記載のブックエンドは、請求項２に記載のブックエンドにおいて、上記最奥の脚部の奥側の辺と上記略Ｌ字状に形成された脚部の奥側の辺とは、同一直線上に位置していることを特徴とする。
【００１５】
すなわち、請求項３にかかる発明は、ブックエンドを壁際で使用した際等に、最奥の脚部の奥側の辺と略Ｌ字状の脚部の奥側の辺とを壁面に密接させることで、直立板部が壁面に対して垂直に位置するので、書籍が壁面に対して斜めになりにくく本の姿勢を律することが可能となる。たとえば、ブックエンドに書籍が寄りかかっても奥側へブックエンドごと回転して倒れ込まないようにすることができる。
【００１６】
請求項４に記載のブックエンドは、請求項１〜３のいずれかに記載のブックエンドにおいて、上記直立板部の手前の鉛直辺に舌片を設けたとことを特徴とする。
【００１７】
すなわち、請求項４にかかる発明は、ブックエンドに書籍を立て掛けた場合において容易にその配置場所を認識することができる。よって、簡素な構成でありながら視認性の高いブックエンドを提供できる。たとえば、本棚にてブックエンドを用いた場合等には、書籍によってブックエンドの直立板部が隠れてしまっても、舌片が書籍の間から突出するため、その舌片を目印として容易にブックエンドの配置場所を認識することができる。よって、ブックエンドの配置場所に誤って書籍を差し込むのを防いで、書籍を傷めるのを防ぐことができる。また、舌片を略半円形状とすれば書籍が舌片に引っ掛かりにくいため、書籍の破損を防ぐことができる。さらに、たとえば、ブックエンドの舌片を見出しとして使用すれば、書籍の整理等がしやすく、使い勝手がよい。
【発明の効果】
【００１８】
請求項１に記載の発明によれば、簡素な構成でありながら転倒し難い安定性の高いブックエンドを提供できる。
【００１９】
また、請求項２に記載の発明によれば、ブックエンドが転倒するのをより確実に防ぐことができる。
【００２０】
また、請求項３に記載の発明によれば、たとえば、ブックエンドに書籍が寄りかかっても奥側へブックエンドごと回転して倒れ込まないようにすることができる。
【００２１】
また、請求項４に記載の発明によれば、簡素な構成でありながら視認性の高いブックエンドを提供できる。
【発明を実施するための最良の形態】
【００２２】
以下、本発明の実施の形態を図面を参照しながら詳細に説明する。
図１は、この発明の一実施形態にかかるブックエンドを示す斜視図であり、図２は、図１のブックエンドを異なる視点から見た状態を示す斜視図である。また、図３は、図１および図２に示すブックエンドの平面図であり、図４は、図１および図２に示すブックエンドの側面図である。
【００２３】
ブックエンド１は、略矩形状の直立板部２と、直立板部２の一端から突出している舌片３と、直立板部２から水平方向に延びている第１脚部４〜第４脚部７とを備えている。
直立板部２は、鉛直面上に拡がる略矩形状の平板である。そして、直立板部２の幅L１は、たとえば、A４サイズの紙（書籍）の短手方向の長さとほぼ同程度である。
舌片３は、直立板部２の手前側の鉛直辺の上端に突出形成されていて、略半円形状の板状である。舌片３は、その板面と直立板部２の板面とが同一鉛直面上に位置するように、直立板部２と連続的に形成されている。なお、手前側とは、使用時に人に近い側をいう。
【００２４】
第１脚部４は、直立板部２の下縁部から水平方向に延びる長手の脚であって、平面視形状が略長方形状の板状の脚である。そして、第１脚部４は、その板面がほぼ水平面上に位置している。また、第１脚部４は、直立板部２の下縁部であって、平面視において舌片３が位置する側と反対側の端部（最奥）から、直立板部２の板面と直交するように延びている。
【００２５】
第２脚部５は、直立板部２の下縁部から水平方向に延びる長手の脚であって、平面視形状が略長方形状の板状の脚である。そして、第２脚部５は、その板面がほぼ水平面上に位置している。また、第２脚部５は、直立板部２の下縁部の中央部近傍から直立板部２の板面と直交する方向に延びており、第１脚部４と一定間隔を隔てて並列している。また、第２脚部５は、その長さが第１脚部４の長さに比べてＬ２だけ長くなっている。
【００２６】
第３脚部６は、直立板部２の下縁部から延びる脚であって、平面視形状が略Ｌ字の板状の脚である。そして、第３脚部６は、その板面がほぼ水平面上に位置している。また、第３脚部６は、直立板部２の下縁部の中央部近傍から直立板部２の板面と直交する方向であって、第１脚部４および第２脚部５が延びている方向と反対方向に延び出ている。
詳しくは、第３脚部６は、直立板部２の下縁部から直立板部２の板面と直交する方向に延びる略長方形状の長手の根元部６１と、根元部６１の先端から直立板部２の板面に沿う方向であって、平面視において舌片３が位置する側と反対側である奥方向に延びる略長方形状の先端部６２とを備えている。
【００２７】
根元部６１はその長さが第２脚部５の長さと実質的に同長に形成されている。
先端部６２は、直立板部２の板面と直交する方向の長さがＬ２であるように形成されている。すなわち、先端部６２の直立板部２と直交する方向の長さは、第１脚部４の長さと第２脚部５の長さとの差と同様の長さである。また、先端部６２の奥側の辺と第１脚部４の奥側の辺とは、同一の直線である直線Ｌ３上に位置しており、直線Ｌ３は直立板部２の板面と直交している。
そして、第３脚部６は、全体として平面視形状が略Ｌ字形状となり、その先端が奥方向に向かって延びるように屈曲している。
【００２８】
第４脚部７は、直立板部２の下縁部から水平方向に延びる長手の脚であって、平面視形状が略長方形状の板状の脚である。そして、第４脚部７は、その板面がほぼ水平面上に位置している。また、第４脚部７は、直立板部２の下縁部であって、平面視において舌片３が位置する側（手前側）の端部から、直立板部２の板面と直交する方向であって、第１脚部４および第２脚部５が延びている方向と反対方向に延び出ている。そして、第４脚部７は、第３脚部６の根元部６１と一定間隔を隔てて並列している。また、第４脚部７は、その長さが第２脚部５の長さと同程度となっている。
【００２９】
ブックエンド１は以上のように形成されているので、第１脚部４〜第４脚部７は、平面視において直立板部２を挟んで千鳥配列となっている。ブックエンド１は、舌片３を手前側として使用されるため、第１脚部４および第３脚部６が奥側に位置する脚部となる。そして、最奥の脚部が第１脚部４となり、直立板部２を挟んで第１脚部４と反対側に位置する最奥から次の脚部が平面視略Ｌ字状である第３脚部６となる。
【００３０】
図５は、ブックエンド１を一枚板から形成する手順を説明する図である。
ブックエンド１を形成する場合には、まず、図５（ａ）に示すように、所定の金属板を切断することにより、略長方形状であってその幅がＬ１であり、その一角から略半円形状の舌片３が突出した形状の板を形成する。そして、図５（ｂ）に破線で示すように、その板に切れ込みを入れる。すなわち、板の端部であって、舌片３が位置する側と反対側の端部近傍に、板の縁までつづく直線上の切れ込みを２本と、略Ｌ字状の切れ込みを１本入れる。このとき略Ｌ字状の切れ込みの端部から板の縁までの距離がL２となるようにする。
【００３１】
そして、図５（c）に示すように、切れ込みを入れた部分をほぼ直角に折り曲げる（切り起こす）。このとき、折り曲げる部分が千鳥状になるように互い違いに折り曲げる。このようにして、上述した構成のブックエンド１が形成される。
【００３２】
図６は、本をブックエンド１に立て掛けた状態を示す斜視図である。
上述のようにして形成されたブックエンド１は、第１脚部４〜第４脚部７を棚面等の設置面に置くことで、直立板部２が鉛直面上に位置する状態を保って自立する。このとき、ブックエンド１は、第１脚部４〜第２脚部７が直立板部２の板面と直交する方向に延びており、さらに、第３脚部６が略Ｌ字状に形成されているため（第３脚部６の先端部６２が奥方向に延びているため）、平面視において直立板部２の板面と直交する方向のみならず板面に沿う方向に、特に奥方向においても安定性が向上し、転倒が防止される。そして、この状態のブックエンド１が、舌片３が手前側に位置するようにして使用される。
【００３３】
また、たとえば、A４サイズの本Bがブックエンド１に立て掛けられた場合には、図６に示すように、直立板部２が本Bによってほぼ隠れるが、舌片３が本Bの間から突出する。このため、舌片３を目印として、ブックエンド１の配置場所を容易に認識することができる。よって、誤ってブックエンド１の配置場所に書籍を差し込むのを防ぐことができる。また、第３脚部６が略Ｌ字状に形成されているため、ブックエンド１に本Ｂが寄りかかっても、ブックエンド１が奥側に転倒しない。
【００３４】
また、ブックエンド１を壁際で使用する場合には、第１脚部４の奥側の辺と第３脚部６の先端部６２の奥側の辺とを壁面に密接させる。これにより、ブックエンド１に本Ｂの重みがかかっても、第１脚部４および先端部６２によりブックエンド１の動きが規制されるため、ブックエンド１が固定される。よって、その安定性がより一層向上し、本の姿勢を維持することができる。
【００３５】
以上のように、この実施形態では、第１脚部４〜第４脚部７が千鳥配列しており、また、第３脚部６が略Ｌ字状に形成されているため、ブックエンド１の安定性がより向上する。よって、ブックエンド１が転倒するのをより確実に防ぐことができる。
また、ブックエンド１は略矩形状の平板の一部を切り起こすことにより形成されるので、ブックエンド１を容易に形成することができる。よって、簡素な構成でありながら安定性を高めることができる。
また、第１脚部４の奥側の辺と先端部６２の奥側の辺とが同一の直線Ｌ３上に位置しているため、ブックエンド１の安定性がより一層向上する。
【００３６】
また、ブックエンド１には、舌片３が突出形成されているため、ブックエンド１に書籍を立て掛けた場合等に、舌片３を目印としてブックエンド１の配置場所を容易に認識することができる。よって、簡素な構成でありながら視認性を高めることができる。ゆえに、ブックエンド１の配置場所に誤って書籍を差し込むのを防いで、書籍を傷めるのを防ぐことができる。また、舌片３は略半円形状であり書籍が舌片３に引っ掛かりにくいため、書籍が舌片３に引っ掛かることにより傷むのを防ぐことができる。さらに、たとえば、ブックエンド１の舌片３を見出しとして使用すれば、書籍の整理等がしやすく、使い勝手がよい。
【００３７】
この発明は、以上説明した実施形態に限定されるものではなく、請求項に記載の範囲内において種々の変更が可能である。
たとえば、ブックエンド１に設けられる脚部の本数は、複数本であればよく４本に限られない。
また、第３脚部６は、平面視において先端部６２が直立板部２と直交する方向に対して交差する方向に延びていればよく、その形状は略Ｌ字状に限られない。たとえば、奥方向に向かって屈曲した形状や湾曲した形状であってもよい。
また、ブックエンド１は、平面視においてその先端部分が奥方向に延びている脚部を複数本備えていてもよい。
また、ブックエンド１は、木材やプラスチックにより構成されていてもよい。
【００３８】
なお、一枚板からブックエンド１を二枚切り出すようにしてもよい。このとき、舌片を向かい合わせにするように形成すれば、材料の無駄がなくなる。なお、必要に応じて適宜この矩形の舌片の角を取るように加工してもよいことは言うまでもない。
【産業上の利用可能性】
【００３９】
ブックエンド１は、たとえば、本棚や書庫にも利用できる。
【図面の簡単な説明】
【００４０】
【図１】この発明の一実施形態にかかるブックエンドを示す斜視図である。
【図２】図１のブックエンドを異なる視点から見た状態を示す斜視図である。
【図３】図１および図２に示すブックエンドの平面図である。
【図４】図１および図２に示すブックエンドの側面図である。
【図５】ブックエンドを形成する手順を説明するための図である。
【図６】本をブックエンドに立て掛けた状態を示す斜視図である。
【図７】従来のブックエンドの一例を示す斜視図である。
【符号の説明】
【００４１】
１      ブックエンド
２      直立板部
３      舌片
４      第１脚部
５      第２脚部
６      第３脚部
７      第４脚部
６２    先端部
【図１】
2006296849.tif 000003
【図２】
2006296849.tif 000004
【図３】
2006296849.tif 000005
【図４】
2006296849.tif 000006
【図５】
2006296849.tif 000007
【図６】
2006296849.tif 000008
【図７】
2006296849.tif 000009